(57)【要約】【課題】簡単な操作で、ユーザが希望する位置にリピート再生期間の始点と終点を設定、リピート再生期間の終点を再設定することができない。【解決手段】オーディオ信号のリピート再生期間を指定するリピートボタンを備える操作部と、リピートボタンの押下に基づいてリピート再生期間の始点位置と終点位置を記憶する内蔵メモリを有しリピート再生する制御を行う制御部とを備え、制御部は、奇数回目にリピートボタンが押下された位置をリピート再生期間の始点位置として設定し当該始点位置からオーディオ信号の再生を開始し、オーディオ信号の現在の再生位置が遇数回目にリピートボタンが押下された位置を越えた場合は奇数回目にリピートボタンが押下された位置からオーディオ信号の再生を開始する制御を行う。【選択図】      図１
2008047259.tif 000002
【特許請求の範囲】
【請求項１】
再生中のオーディオ信号のリピート再生期間を指定するリピートボタンを備える操作部と、オーディオ信号を再生する再生部と、再生部が再生したオーディオ信号を記憶するRAMと、再生部が再生したオーディオ信号のRAMへの記憶及び読み出しを行うと共にオーディオ信号に対し信号処理を行う信号処理部と、信号処理部から出力されたオーディオ信号をアナログオーディオ信号に変換する変換部と、変換部から出力されたアナログオーディオ信号を増幅して出力する増幅部と、操作部のリピートボタンの押下に基づいてオーディオ信号のリピート再生期間の始点位置と終点位置を記憶する内蔵メモリを有しオーディオ信号を前記リピート再生期間でリピート再生する制御を行う制御部とを備え、
制御部は、奇数回目にリピートボタンが押下された位置をリピート再生期間の始点位置として設定し当該始点位置からオーディオ信号の再生を開始し、オーディオ信号の現在の再生位置が偶数回目にリピートボタンが押下された位置を越えた場合は奇数回目にリピートボタンが押下された位置からオーディオ信号の再生を開始する制御を行うことを特徴とする再生装置。
【請求項２】
請求項１記載の再生装置において、制御部は、奇数回目のリピートボタンの押下から偶数回目のリピートボタンの押下までの時間が予め定めた時間より短い場合、１回目にリピートボタンが押下された位置をリピート再生期間の始点位置として設定し当該始点位置からオーディオ信号の再生を開始し、オーディオ信号の現在の再生位置が遇数回目の最後にリピートボタンが押下された位置を越えた場合は１回目にリピートボタンが押下された位置からオーディオ信号の再生を開始する制御を行うことを特徴とする再生装置。
【請求項３】
請求項１及び２記載の再生装置において、前記制御部は、リピートボタンが押下されてから開放されるまでの時間が予め定めた時間を経過した場合、前記内蔵メモリに記憶されているリピート再生期間の始点位置と終点位置を全て消去することを特徴とする再生装置。
6
【発明の詳細な説明】
【技術分野】
【０００１】
本発明は、オーディオ信号を再生する再生装置に関する。
【背景技術】
【０００２】
近年、ステレオシステムなどの音響機器は、コンパクト・ディスク(Compact Disc : CD)の再生だけではなく、デジタル・バーサタイル・ディスク(Digital Versatile Disc : DVD)やハード・ディスク(Hard Disc : HD)などの記録媒体に記録されたオーディオ信号やインターネットなどのネットワークからダウンロードしたオーディオ信号を再生することが可能となってきている。それに伴い機能も多様化し、操作ボタンもリモコンや本体に多数配置され、それらの操作ボタンに多種の機能が割り当てられるようになってきている。
【０００３】
オーディオ信号を再生する際の機能の一つとして、オーディオ信号中の指定した２点間を繰り返し再生する「A-Bリピート再生機能」がある。この機能は、カラオケの練習や英会話の練習などの際に主に用いられる。
【０００４】
従来の技術においては、「A-Bリピート再生機能」におけるリピート再生期間の始点(A点)と終点(B点)の設定は、１つのA-Bリピートボタンにより、当該ボタンを１回押すとリピート再生期間の始点が設定され、次に当該ボタンを押すとリピート再生期間の終点(B点)が設定されていた。また、その次に当該ボタンを押したときに、設定されていたリピート再生期間が解除されるようになっていた。
【０００５】
また、特許文献１には、リピート再生期間を設定する１つの操作ボタン(A-Bリピートキー)を備え、リピート再生の開始位置にしたい箇所でA-Bリピートキーを押し、A-Bリピートキーの長押しの時間を測定し、長押しの時間に応じてリピート再生の終了位置が決定する技術が開示されている。
【０００６】
【特許文献１】特開２００５−２９３７９２
【発明の開示】
【発明が解決しようとする課題】
【０００７】
従来の技術において、先に設定したリピート再生期間のうち、終点のみを変更する場合には、一度、設定されているリピート再生期間を解除し、再度リピート再生期間の始点と終点を設定しなければならず、手間がかかっていた。また、再度リピート再生期間の始点を設定するためには、早戻しなどの方法により、リピート再生期間の始点の部分まで戻り始点を設定しなければならず、リピート再生期間の設定に時間がかかっていた。
【０００８】
また、特許文献１に開示されている技術は、A-Bリピートキーの長押しの時間に基づいて、長押しの時間が例えば３秒であればオーディオ信号の再生時間の３０分後の位置をリピート再生期間の終点として決定する。また、先に設定したリピート再生期間の終点を解除し、新たなリピート再生期間の終点を設定する場合においても、A-Bリピートキーの長押しの時間に対応するオーディオ信号の再生時間が加算され、リピート再生期間の終点として決定する。このため、例えば、再生開始から２５分の位置をリピート再生期間の終点と設定するためには、リピートキー以外のキー操作により、希望する再生位置(再生開始から２５分の位置)を設定する必要があり、リピート再生期間の終点を希望する位置に設定する手間がかかる。
【０００９】
本発明は、簡単な操作で、ユーザが希望する位置にリピート再生期間の始点と終点を設定することができると共にリピート再生期間の終点を再設定することができる再生装置を提供することを目的とする。
【課題を解決するための手段】
【００１０】
本発明は、再生中のオーディオ信号のリピート再生期間を指定するリピートボタンを備える操作部と、オーディオ信号を再生する再生部と、再生部が再生したオーディオ信号を記憶するRAMと、再生部が再生したオーディオ信号のRAMへの記憶及び読み出しを行うと共にオーディオ信号に対し信号処理を行う信号処理部と、信号処理部から出力されたオーディオ信号をアナログオーディオ信号に変換する変換部と、変換部から出力されたアナログオーディオ信号を増幅して出力する増幅部と、操作部のリピートボタンの押下に基づいてオーディオ信号のリピート再生期間の始点位置と終点位置を記憶する内蔵メモリを有しオーディオ信号を前記リピート再生期間でリピート再生する制御を行う制御部とを備え、制御部は、奇数回目にリピートボタンが押下された位置をリピート再生期間の始点位置として設定し当該始点位置からオーディオ信号の再生を開始し、オーディオ信号の現在の再生位置が偶数回目にリピートボタンが押下された位置を越えた場合は奇数回目にリピートボタンが押下された位置からオーディオ信号の再生を開始する制御を行うことを特徴とする。
【００１１】
本発明は、前述した再生装置において、制御部は、奇数回目のリピートボタンの押下から偶数回目のリピートボタンの押下までの時間が予め定めた時間より短い場合、１回目にリピートボタンが押下された位置をリピート再生期間の始点位置として設定し当該始点位置からオーディオ信号の再生を開始し、オーディオ信号の現在の再生位置が偶数回目の最後にリピートボタンが押下された位置を越えた場合は１回目にリピートボタンが押下された位置からオーディオ信号の再生を開始する制御を行うことを特徴とする。
【００１２】
本発明は、前述した再生装置において、前記制御部は、リピートボタンが押下されてから開放されるまでの時間が予め定めた時間を経過した場合、前記内蔵メモリに記憶されているリピート再生期間の始点位置と終点位置を全て消去することを特徴とする。
【発明の効果】
【００１３】
本発明によれば、リピート再生機能を有する再生装置において、簡単な操作で、ユーザが希望する位置にリピート再生期間の始点と終点を設定することができると共にリピート再生期間の終点を再設定することができる。
【発明を実施するための最良の形態】
【００１４】
図１は、本発明の再生装置の一実施形態の構成を説明する図である。
図１において、再生装置は、再生部１、信号処理部２、RAM(Random Access Memory)３、DAC(Digital Analog Converter)４、増幅部５、表示部６、操作部７、制御部８を備える。なお、本実施形態においては、再生装置は、CDを再生するCDプレーヤとして説明するが、DVDプレーヤ、HDプレーヤ等の機器でも適用できる。
【００１５】
再生部１は、ＣＤからオーディオ信号を読み出し、後段の信号処理部２に出力する。再生部１は、サーボ制御部(図示せず)、スピンドルモータ(図示せず)、光ピックアップ(図示せず)、復調部(図示せず)を備える。サーボ制御部は、後述する制御部により制御され、スピンドルモータ、光ピックアップのサーボ制御を行う。サーボ制御部により制御されるスピンドルモータは光ディスクを回転させ、光ピックアップはＣＤに記録されているデータを読み出す。光ピックアップから読み出されたデータは、復調部で復調され、後段の信号処理部２にオーディオ信号(デジタルオーディオ信号)として出力される。
【００１６】
信号処理部２は、例えば、デジタル・シグナル・プロセッサ(Digital Signal Processor)であり、再生部１から入力したオーディオ信号を後述するRAM３に書き込み及び読み出しを行うと共に、当該オーディオ信号に対しデコードやサラウンド効果を与えるための信号処理を行う。信号処理部２は、信号処理後のオーディオ信号をRAM３への書き込み、読み出しを行う。信号処理部２は、後述する制御部８の制御に基づいてリピート再生期間設定処理を行う。
【００１７】
RAM３は、信号処理部２から出力されたオーディオ信号を記憶する。
【００１８】
DAC４は、信号処理部２から出力されたデジタルオーディオ信号をアナログオーディオ信号に変換する。
【００１９】
増幅部５は、DAC４から出力されたオーディオ信号を後述する制御部８の制御に基づいて増幅し、出力端子から出力する。
【００２０】
表示部６は、後述する制御部８の制御に基づいて、オーディオ信号のトラック番号、再生時間等の情報を表示する。
【００２１】
操作部７は、オーディオ信号の再生に関するボタン(再生ボタン、停止ボタン、一時停止ボタン、早送りボタン、早戻しボタン等)、リピート再生期間を設定するためのリピートボタンを備え、ユーザにより操作されたボタンに対応する指示信号を制御部８に出力する。
【００２２】
制御部８は、再生装置全体を総合的に制御する。制御部８は、操作部７からの指示信号に基づいて再生部１におけるディスク再生の制御、信号処理部２における信号処理の制御、表示部６の表示制御などを行う。制御部８は、リピートボタンが押されている時間(第１時間)を測定する第１タイマ(図示せず)、A-Bリピート再生期間の始点が設定されてから終点が設定されるまでの時間(第２時間)を計測する第２タイマ(図示せず)を備える。
【００２３】
制御部８は、リピート再生期間を設定する際の始点(A点)及び終点(B点)の位置情報を記憶する内蔵メモリ(図示せず)を備える。リピート再生期間を設定する際の始点及び終点の位置情報は、第１始点アドレス(A0)、第２始点アドレス(A1)、第１終点アドレス(B0)、第２終点アドレス(B1)である。これらA0、A1、B0、B1には、位置情報として「分、秒、フレーム」を示す値を格納する。初期化時は、位置情報が格納されていないことを示す「$FF」等の数字以外の文字が格納される。
【００２４】
制御部８は、操作部７からのリピートボタン等に関する指示信号などに基づいて、後述する、A-Bリピート再生期間の始点(A点)の設定モードを切り替える「A点設定モード切替処理」、A-Bリピート再生期間の終点(B点)を自動的に既に設定されているA点に設定し、その後に新たにB点を設定する「A点連続設定モード」、既に設定されているA-Bリピート再生期間の間に新たにA点を設定し、その後に新たにB点を設定する「A点再設定モード」、設定されているA-Bリピート再生期間の解除の制御を行う。
【００２５】
再生装置における再生動作について説明する。
操作部７の再生ボタンが操作され、操作部７から再生開始の指示信号が制御部８に入力すると、制御部８は、再生部１を制御し、再生部１にＣＤからオーディオ信号を読み出させる。ディスクから読み出されたオーディオ信号は、信号処理部２により、デコード等の信号処理が施され、RAM３に記憶される。RAM３に記憶されたオーディオ信号は、順次再生速度に応じて読み出され、DAC４においてアナログオーディオ信号に変換され、増幅部５で増幅され出力端子から出力される。
【００２６】
図２は、本実施形態の再生装置におけるリピート再生期間設定処理のフローチャートである。図３は、本実施形態の再生装置におけるA点再設定モードの動作を説明する図である。図４は、本実施形態の再生装置におけるA点連続設定モードの動作を説明する図である。
本実施形態の再生装置においては、リピートボタンのみの操作により「A点設定モード切替処理」、「A点連続設定モード」、「A点再設定モード」、設定されているA-Bリピート再生期間の解除を実現することができる。これらの動作について説明する。
【００２７】
最初に、「A点設定モード切替処理」の動作について説明する。
初期化時は、A点設定モードは、A点連続設定モードに設定されているものとする。再生開始前にリピートボタンが押されたとき、A点連続設定モードが設定されている場合はA点再設定モードに切り替わり、A点再設定モードが設定されている場合はA点連続設定モードに切り替わる。なお、A点設定モードの切り替わりは、表示部６にそれらのモードを区別する表示を行うことにより、ユーザにモードを通知する。例えば、表示部６に「SEQ」の文字を表示し、A点連続設定モードの場合は「SEQ」の文字が点灯し、A点再設定モードの場合は「SEQ」が消灯する。
【００２８】
初期設定においては、制御部８の内蔵メモリの第１始点アドレス(A0)、第２始点アドレス(A1)、第１終点アドレス(B0)、第２終点アドレス(B1)は、全てクリアされる。本実施形態においては、A点設定モードは、初期状態においてはA点連続設定モードに設定されている。
【００２９】
図２において、再生開始後、リピートボタンが押されてない状態では、制御部８の処理は、第１タイマが未起動(ステップ１:NO)、第２タイマが未起動(ステップ４:NO)、第２終点が未設定(ステップ６:NO)、リピートボタンがリリースされてない(ステップ９:NO)、リピートボタンが押されてない(ステップ１１:NO)を経て、ステップ１に戻る。再生装置は、リピートボタンが押されてない状態では、前述のステップ１からステップ１１までの処理を繰り返す。
【００３０】
ユーザがオーディオ信号を聞き、リピート再生期間の始点に達すると、ユーザは、操作部７のリピートボタンを押す。リピートボタンが押されると(ステップ１１:YES)、制御部８は、第１タイマに第１時間の計測を開始させる(ステップ１２)。第２タイマは、未起動(ステップ１３:NO)であるため、ステップ１６に移る。
【００３１】
制御部８の内蔵メモリに第２始点アドレス(A1)が設定されてないため(ステップ１６:NO)、制御部８は、再生中のオーディオ信号の現在位置(１回目にリピートボタンが押された位置)を示すアドレスを第２始点アドレス(A1)として内蔵メモリに記憶する(ステップ２０)。そして、内蔵メモリの第１始点アドレス(A0)が未設定のため(ステップ２１:YES)、制御部８は、内蔵メモリの第１始点アドレス(A0)に再生中のオーディオ信号の現在位置(１回目にリピートボタンが押された位置)を記憶する(ステップ２２)。
【００３２】
図３及び図４の(a)に、ステップ１６、ステップ２０、ステップ２１、ステップ２２の動作に対応する図を示す。制御部８の内蔵メモリには、リピート再生期間の始点として第１始点アドレス(A0)及び第２始点アドレス(A1)に「00:08:15」が記憶される。なお、表示部６には、「A」の文字の表示が点灯し、ユーザにリピート再生期間の始点が設定されたことを通知する。
【００３３】
ステップ２２において、制御部８が内蔵メモリの第１始点アドレス(A0)にリピートボタンが押された位置を記憶した後、制御部８は、内蔵メモリの第２終点アドレス(B1)をクリア(「$FF」により未設定状態にする)し(ステップ２５)、第２タイマによる第２時間の計測を開始し(ステップ２６)、ステップ１に戻る。
【００３４】
この状態では、第１タイマが未起動(ステップ１:NO)であるため、ステップ４に移る。ステップ４において、第２タイマが第２時間を経過した場合(ステップ４:YES)、制御部８は、第２タイマを停止させる(ステップ５)。また、ステップ４において、第２タイマが第２時間を経過しておらず(ステップ４:NO)、第２終点アドレス(B1)が未設定であり(ステップ６:NO)、ユーザがリピートボタンをリリースした場合(ステップ９:YES)、制御部８は、第１タイマを停止させる(ステップ１０)。そして、ステップ１に戻る。
【００３５】
ユーザが再生されているオーディオ信号を聞き、リピート再生期間の終点に達すると、ユーザは操作部７のリピートボタンを押す。２回目のリピートボタンが押されると(ステップ１１:YES)、制御部８は、第１タイマにより第１時間の計測を開始する(ステップ１２)。第２タイマは未起動(ステップ１３:NO)であるため、ステップ１６に移る。
【００３６】
ステップ１６において、第２始点アドレス(A1)が設定済みであり(ステップ１６:YES)、第２終点アドレス(B1)が未設定であるため(ステップ１７:NO)、制御部８は、再生中のオーディオ信号の現在位置(２回目にリピートボタンが押された位置)を示すアドレスを第１終点アドレス(B0)と第２終点アドレス(B1)として内蔵メモリに記憶する(ステップ１８)。なお、制御部８の内蔵メモリに第２終点アドレス(B1)が格納されている場合、表示部６には、「B」の文字の表示が点灯し、ユーザにリピート再生期間の終点が設定されていることを通知する。
【００３７】
図３及び図４の(b)に、ステップ１６、ステップ１７、ステップ１８の動作に対応する図を示す。制御部８の内蔵メモリには、リピート再生期間の終点として第１終点アドレス(B0)及び第２始点アドレス(B1)に「00:24:25」が記憶される。
【００３８】
そして、制御部８は、内蔵メモリに記憶されている第２始点アドレス(A1)に対応するオーディオ信号の位置をサーチし、サーチが終了すると第２始点アドレス(A1)に対応する位置からオーディオ信号の再生を開始し(ステップ１９)、ステップ１に戻る。
【００３９】
この後、２回目のリピートボタンが押された後(ステップ１１)、ステップ１２、ステップ１３、ステップ１６、ステップ１７、ステップ１８、ステップ１９を経て、ステップ１に戻る。ステップ１において第１タイマが未起動であり(ステップ１:NO)、ステップ４において第２タイマが未起動であり(ステップ４:NO)、ステップ６においては、ステップ１８により第２終点アドレス(B1)が設定されているため(ステップ６:YES)、ステップ７に移る。
【００４０】
ステップ７において、オーディオ信号の再生位置が第２終点アドレス(B1)を超えておらず(ステップ７:NO)、リピートボタンがリリースされた場合(ステップ９:YES)、制御部８は、第１タイマを停止させ(ステップ１０)、ステップ１に戻る。
【００４１】
ステップ７において、オーディオ信号の再生位置が第２終点アドレス(B1)を超えた場合(ステップ７:YES)、制御部８は、内蔵メモリに記憶されている第２始点アドレス(A1)に対応するオーディオ信号の位置をサーチし、サーチが終了すると第２始点アドレス(A1)に対応する位置からオーディオ信号の再生を開始し(ステップ８)、ステップ１に戻る。
【００４２】
この後、ステップ１、ステップ４、ステップ６、ステップ７、ステップ９、ステップ１１を経て、ステップ１に戻る処理を繰り返す。再生しているオーディオ信号の再生位置が第２終点アドレス(B1)に達した場合(ステップ７:YES)、制御部８は、ステップ８を実行してステップ１に戻り、第２始点アドレス(A1)から第２終点アドレス(B1)までの間のオーディオ信号の再生が繰り返される。
【００４３】
次に、ユーザが先に設定したリピート再生期間のリピートを繰り返した後、リピート再生期間の終点以降に新たな終点を設定し、新たなリピート再生期間を設定する場合の処理について説明する。
A点再設定モードの場合は、リピート再生期間の再生中に、新たにリピート再生期間の始点に設定したい位置に達したときにリピートボタンを押す(３回目のリピートボタンの押下)。また、A点連続設定モードの場合は、リピート再生期間の再生中の任意の位置でリピートボタンを押す(３回目のリピートボタンの押下)。
【００４４】
リピートボタンが押されると(ステップ１１:YES)、制御部８は、第１タイマにより第１時間の計測を開始させる(ステップ１２)。ステップ１３において第２タイマが未起動であるため(ステップ１３:NO)、ステップ１６に移る。
【００４５】
ステップ１６において第２始点アドレス(A1)が設定され(ステップ１６:YES)、ステップ１７において第２終点アドレス(B1)が設定されているため(ステップ17:YES)、制御部８は、再生中のオーディオ信号の現在の再生位置を内蔵メモリの第２始点アドレス(A1)に格納し(ステップ２０)、新たなリピート再生期間の始点として設定する。
【００４６】
ステップ２１において第１始点アドレス(A0)が設定済みであるため(ステップ２１:YES)、制御部８は、ステップ２３に移り、A点設定モードがA点連続設定モードであるか否かを判別する(ステップ２３)。
【００４７】
A点設定モードがA点連続設定モードである場合(ステップ２３:YES)、制御部８は、先のリピート再生期間の終点であった第２終点アドレス(B1)を自動的に新たなリピート再生期間の第２始点アドレス(A1)として内蔵メモリに記憶する(ステップ２４)。A点設定モードがA点再設定モードである場合(ステップ２３:NO)、制御部８は、内蔵メモリに記憶されている第２終点アドレス(B1)をクリアし(ステップ２５)、第２タイマによる第２時間の計測を開始し(ステップ２６)、ステップ１に戻る。
【００４８】
図３及び図４の(c)に、ステップ２３、ステップ２４、ステップ２５の動作に対応する図を示す。制御部８の内蔵メモリには、A点設定モードがA点連続設定モードである場合、新たなリピート再生期間の始点として第２始点アドレス(A1)に先のリピート再生期間の第２始点アドレス(B1)の「00:24:25」が記憶され、A点設定モードがA点再設定モードである場合、新たなリピート再生期間の始点として第２始点アドレス(A1)に再生中のオーディオ信号の現在の再生位置(３回目のリピートボタンの押下位置)の「00:22:08」が記憶される。
【００４９】
３回目のリピートボタンが押され、第２タイマが第２時間を経過しておらず(ステップ４:NO)、第２終点アドレス(B1)が未設定であり(ステップ６:NO)、３回目に押されたリピートボタンがリリースされると(ステップ９)、制御部８は、第１タイマを停止させ(ステップ１０)、ステップ１に戻る。
【００５０】
３回目のリピートボタンが押され、第２タイマが第２時間を経過した場合(ステップ４:YES)、制御部８は、第２タイマを停止させる(ステップ５)。ステップ６においては、ステップ２６により第２終点アドレス(B1)が未設定であり(ステップ６:NO)、このあとステップ７、ステップ８を実行しないため、先のリピート再生期間の終点位置を越えて再生を継続する。
【００５１】
ユーザが再生されているオーディオ信号を聞き、新たなリピート再生期間の終点位置に達すると、ユーザは、操作部７のリピートボタンを押す(４回目のリピートボタンの押下)。リピートボタンが押されると(ステップ１１:YES)、制御部８は、ステップ１３、ステップ１６、ステップ１７、ステップ１８の処理を実行し、再生中のオーディオ信号の現在位置(４回目にリピートボタンが押された位置)を示すアドレスを第１終点アドレス(B0)と第２終点アドレス(B1)として内蔵メモリに記憶する(ステップ１８)。
【００５２】
図３及び図４の(d)に、ステップ１６、ステップ１７、ステップ１８の動作に対応する図を示す。制御部８の内蔵メモリには、新たなリピート再生期間の終点として第１終点アドレス(B0)及び第２始点アドレス(B1)に「00:36:44」が記憶される。
【００５３】
このあと、制御部８は、内臓メモリに記憶されている第２始点アドレス(A1)と第２終点アドレス(B1)との間を新たなリピート再生期間として繰り返し再生する。
【００５４】
そして、図３及び図４の(e)、(f)に示すように、ユーザのリピートボタンの操作に基づいて前述した処理を繰り返し実行し、再生しているオーディオ信号の後半に向かってリピート再生期間をずらすことができる。
【００５５】
以上のように、本実施形態の再生装置では、１つのリピートボタンの操作により、任意の位置のA-Bリピート再生の後、先のリピート再生期間の終点を新たなリピート再生期間の始点に置き換え、新たなリピート再生を行うことができ、また、A-Bリピート再生期間の間に新たなリピート再生期間の始点を設定し、新たなリピート再生を行うことができる。
【００５６】
次に、A-Bリピート再生中に、リピートボタンを短時間に２回押し、先のリピート再生期間の始点から今まで再生した位置までを新たなリピート再生期間として設定する処理について説明する。
【００５７】
５回目のリピートボタンが押されると(ステップ１１:YES)、ステップ１３、ステップ１６を経て、制御部８は、ステップ２０において新たなリピート再生期間の第２始点アドレス(A1)を設定し、ステップ２１、ステップ２３、ステップ２４、ステップ２５を経て、第２タイマによる第２時間の計測が開始し(ステップ２６)、ステップ１に戻る。
【００５８】
そして、直ぐに６回目のリピートボタンが押されると(ステップ１１:YES)、ステップ１２を経て、ステップ１３において第２タイマが計測中であるため(ステップ１３:YES)、制御部８は、内蔵メモリに記憶されている第２始点アドレス(A1)を先のリピート再生期間の始点の設定時に記憶した第１始点アドレス(A0)に変更し、また、第２終点アドレス(B1)を先のリピート再生期間の終点の設定時に記憶した第１終点アドレス(B0)に変更する(ステップ１４)し、第２タイマを停止させる(ステップ１５)。
【００５９】
そして、制御部８は、内蔵メモリに記憶されている第２始点アドレス(A1)に対応するオーディオ信号の位置をサーチし、サーチが終了すると第２始点アドレス(A1)に対応する位置からオーディオ信号の再生を開始し(ステップ１９)、ステップ１に戻る。この後、第２始点アドレス(A1)から第２終点アドレス(B1)までの期間が繰り返し再生される。
【００６０】
図３及び図４の(g)、(h)に示すように、ユーザがリピートボタンを短時間に２回押すことにより、制御部８は、前述した処理を繰り返し実行し、先のリピート再生期間の始点から今まで再生した位置までを新たなリピート再生期間として再生する。
【００６１】
次に、リピートボタンを長押しすることにより、設定されているリピート再生期間を解除する処理について説明する。
リピートボタンが押されると(ステップ１１:YES)、第１タイマにより第１時間の計測が開始する(ステップ１２)。その後、ステップ１３、ステップ１６、ステップ１７、ステップ２０、ステップ２１、ステップ２３、ステップ２４、ステップ２５、ステップ２６を経て、ステップ１に戻る。
【００６２】
ステップ１に戻った時点でもリピートボタンが押され続けている場合(ステップ１:YES)、制御部８は、内臓メモリの第１始点アドレス(A0)、第２始点アドレス(A1)、第１終点アドレス(B0)、第２終点アドレス(B1)をクリアし(ステップ２)、第１タイマを停止する(ステップ３)。
【００６３】
このあと、第２終点アドレス(B1)が未設定であるため(ステップ４:NO)、制御部８は、リピートボタンが押されている場合(ステップ９:NO)、ステップ１１を経てステップ１に戻り、リピートボタンがリリースされた場合(ステップ９:YES)、ステップ１０を経てステップ１に戻る。
【００６４】
以上のように、本実施形態の再生装置においては、１つのリピートボタンの操作により、A-Bリピート再生期間の途中に新たなリピート再生期間の始点(A点)を設定したり、先に設定したリピート再生期間の終点(B点)を新たなリピート再生期間の始点(A点)に設定したり、設定されているA-Bリピート再生期間を解除することができるため、ユーザにとって使い勝手がよい。
【００６５】
したがって、ユーザが当該再生装置をカラオケの練習や英会話の勉強のために用いた場合、ユーザが希望する位置で、簡単な操作でリピート再生期間を設定することができる。
【図面の簡単な説明】
【００６６】
【図１】本発明の再生装置の一実施形態の構成を説明する図。
【図２】本実施形態の再生装置におけるリピート再生期間設定処理のフローチャート。
【図３】本実施形態の再生装置におけるA点再設定モードの動作を説明する図。
【図４】本実施形態の再生装置におけるA点連続設定モードの動作を説明する図。
【符号の説明】
【００６７】
１・・・再生部、２・・・信号処理部、３・・・RAM、４・・・DAC、５・・・増幅部、６・・・表示部、7・・・操作部、８・・・制御部。
【図１】
2008047259.tif 000003
【図２】
2008047259.tif 000004
【図３】
2008047259.tif 000005
【図４】
2008047259.tif 000006